(57)【要約】【課題】薄型化及び狭額縁化を図りつつ、導光板の端面と光源との離隔距離を一定に保つことができる表示装置及びテレビジョン受信機を提供する。【解決手段】温度変化に応じた導光板２３の上下方向の伸縮に伴い、導光板２３の下端面２３ｂが上下方向に移動し、導光板２３に取り付けられている放熱部材４１、及び放熱部材４１に支持されているＬＥＤ２５，２５，…も、上下方向に移動する。従って、各ＬＥＤ２５と導光板２３の下端面２３ｂとの離隔距離は、一定に保たれる。つまり、放熱部材４１は、各ＬＥＤ２５が発した熱を前キャビネット３１又はバックライトシャーシ３６を介して外部へ放出する機能のみならず、各ＬＥＤ２５と導光板２３の下端面２３ｂとの離隔距離を一定に保つ機能も有する。このため、各ＬＥＤ２５と導光板２３の下端面２３ｂとの離隔距離を一定に保つ機能のみを有する部材を削減することができる。【選択図】図３
2013257387.tif 000002
【特許請求の範囲】
【請求項１】
正面側に表示面を有する表示パネルと、
該表示パネルの背面側に配置してあり、端面から内部に入射した光を正面から出射する導光板と、
前記端面に対向配置してある光源と、
該光源が発する熱を外部へ放出するための放熱部材と
を備える表示装置において、
前記放熱部材は、
前記光源を支持する光源支持部と、
該光源支持部に突設されており、その先端部が前記導光板に取り付けてある取付部と
を有することを特徴とする表示装置。
【請求項２】
前記取付部の先端部は、前記導光板の正面又は背面に対向配置されて、前記導光板に取り付けてあることを特徴とする請求項１に記載の表示装置。
【請求項３】
前記光源が実装されている光源基板を更に備え、
前記取付部は前記導光板の正面又は背面に対面配置された板状をなし、
前記光源支持部は、その一面が前記端面に対面配置された板状をなし、
前記光源支持部の前記一面に前記光源基板が取り付けてあり、
前記放熱部材は、
前記取付部及び前記光源支持部を一体に有するアングル材を用いてなることを特徴とする請求項２に記載の表示装置。
【請求項４】
前記取付部の先端部と前記導光板とがネジ留めしてあることを特徴とする請求項１から３の何れかひとつに記載の表示装置。
【請求項５】
少なくとも前記取付部は金属を用いてなり、
前記取付部の先端部と前記導光板とをネジ留めするためのネジ穴が、前記取付部に形成されていることを特徴とする請求項４に記載の表示装置。
【請求項６】
前記表示面の周縁部を囲繞するキャビネットと、
該キャビネットとの間で前記表示パネル及び導光板を支持する支持体と
を更に備え、
前記放熱部材から前記キャビネット又は前記支持体への熱伝導が可能にしてあることを特徴とする請求項１から５の何れかひとつに記載の表示装置。
【請求項７】
請求項１から６の何れかひとつに記載の表示装置と、
テレビジョン放送を受信する受信部と
を備え、
該受信部にて受信したテレビジョン放送に基づいて、前記表示装置に映像を表示するようにしてあることを特徴とするテレビジョン受信機。
【発明の詳細な説明】
【技術分野】
【０００１】
本発明は、光源から放射された光によって表示パネルが照明される表示装置、及び、この表示装置を備えるテレビジョン受信機に関する。
【背景技術】
【０００２】
液晶表示装置は、液晶表示パネルとバックライトとバックライトシャーシとを備える。バックライトは、液晶表示パネルの背面側から液晶表示パネルを照明する。
エッジライト方式のバックライトは、液晶表示パネルの背面側に、光学シート群を介して導光板を配置し、導光板の背面側に、反射シートを配置し、導光板の端面（例えば下端面）に対向して、ＬＥＤ基板の一面に実装されたＬＥＤを配置してなる。
ＬＥＤから放射された光は、導光板及び反射シートによって液晶表示パネルの背面側へ導かれ、光学シート群による拡散及び集光等を経て、液晶表示パネルの内部に入射する。この結果、液晶表示パネルの表示面が均一に明るくなる。
【０００３】
ＬＥＤ基板の他面側にはヒートスプレッダが配される。ＬＥＤが発した熱は、ＬＥＤ基板を介してヒートスプレッダに伝導し、液晶表示装置の外部へ放出される。
液晶表示パネル、バックライト、バックライトシャーシ、及びヒートスプレッダは、前キャビネットと後キャビネットとを用いてなる筐体に収容される。このとき、液晶表示パネル、光学シート群、導光板、及び反射シートは、前キャビネットとバックライトシャーシとの間で支持される。また、ヒートスプレッダは筐体に取り付けられる。即ち、ＬＥＤ及びＬＥＤ基板は、ヒートスプレッダを介して筐体に支持される。
【０００４】
導光板の端面とＬＥＤとの離隔距離は、一定でなければならない。しかしながら、導光板は、ＬＥＤの発熱及び使用環境の温度等に応じて、容易に伸縮する。仮に、導光板の端面とＬＥＤとの離隔距離が変動すると、導光板への光の入射効率が変動するため、液晶表示パネルの表示面に表示されている映像の画質が劣化する。また、導光板が伸長した場合に、導光板とＬＥＤとの接触が生じる虞がある。
そこで、従来、導光板の端面とＬＥＤとの離隔距離を一定に保つチャンネル材が提案されている（特許文献１参照）。
【０００５】
特許文献１に記載のチャンネル材（コの字アングル）は、ＬＥＤが実装されたＬＥＤ基板がその一面に取り付けられる板状の支持基体と、支持基体の一面から突出する一対の取付部とを有している。各取付部の先端面は、導光板の端面に、レーザ溶着によって接着固定してある。このようなチャンネル材を用いた場合、導光板と支持基体との間に取付部が介在しているため、導光板が伸縮したとしても、導光板と支持基体との離隔距離、延いては導光板の端面とＬＥＤとの離隔距離が一定に保たれる。
【先行技術文献】
【特許文献】
【０００６】
【特許文献１】特開２０１１−１７１２０８号公報
【発明の概要】
【発明が解決しようとする課題】
【０００７】
近年、液晶表示装置の薄型化及び狭額縁化を図るべく部品点数が削減されている。しかしながら、特許文献１に記載のサイドエッジ型面状発光装置からチャンネル材を削減した場合、導光板の端面とＬＥＤとの離隔距離を一定に保つことが困難になる。
【０００８】
本発明は斯かる事情に鑑みてなされたものであり、その主たる目的は、薄型化及び狭額縁化を図りつつ、導光板の端面と光源との離隔距離を一定に保つことができる表示装置及びテレビジョン受信機を提供することにある。
【課題を解決するための手段】
【０００９】
本発明に係る表示装置は、正面側に表示面を有する表示パネルと、該表示パネルの背面側に配置してあり、端面から内部に入射した光を正面から出射する導光板と、前記端面に対向配置してある光源と、該光源が発する熱を外部へ放出するための放熱部材とを備える表示装置において、前記放熱部材は、前記光源を支持する光源支持部と、該光源支持部に突設されており、その先端部が前記導光板に取り付けてある取付部とを有することを特徴とする。
【００１０】
本発明に係る表示装置は、前記取付部の先端部は、前記導光板の正面又は背面に対向配置されて、前記導光板に取り付けてあることを特徴とする。
【００１１】
本発明に係る表示装置は、前記光源が実装されている光源基板を更に備え、前記取付部は前記導光板の正面又は背面に対面配置された板状をなし、前記光源支持部は、その一面が前記端面に対面配置された板状をなし、前記光源支持部の前記一面に前記光源基板が取り付けてあり、前記放熱部材は、前記取付部及び前記光源支持部を一体に有するアングル材を用いてなることを特徴とする。
【００１２】
本発明に係る表示装置は、前記取付部の先端部と前記導光板とがネジ留めしてあることを特徴とする。
【００１３】
本発明に係る表示装置は、少なくとも前記取付部は金属を用いてなり、前記取付部の先端部と前記導光板とをネジ留めするためのネジ穴が、前記取付部に形成されていることを特徴とする。
【００１４】
本発明に係る表示装置は、前記表示面の周縁部を囲繞するキャビネットと、該キャビネットとの間で前記表示パネル及び導光板を支持する支持体とを更に備え、前記放熱部材から前記キャビネット又は前記支持体への熱伝導が可能にしてあることを特徴とする。
【００１５】
本発明に係るテレビジョン受信機は、本発明に係る表示装置と、テレビジョン放送を受信する受信部とを備え、該受信部にて受信したテレビジョン放送に基づいて、前記表示装置に映像を表示するようにしてあることを特徴とする。
【００１６】
本発明にあっては、表示装置は、表示パネル、導光板、光源、及び放熱部材を備える。
光源は、導光板の端面に対向配置されている。このため、光源から放射された光は、導光板の端面から導光板の内部に入射し、導光板の正面から出射されることによって、表示パネルの背面側へ導かれる。表示パネルの背面側へ導かれた光は、表示パネルの背面から表示パネルの内部に入射し、表示パネルの正面から出射される。この結果、表示パネルの表示面が明るくなる。
【００１７】
放熱部材は、光源支持部と取付部とを有する。
光源支持部は光源を支持する。光源が発する熱は、光源支持部に伝導し、外部へ放出される。
取付部は、光源支持部に突設されている。取付部の先端部は、導光板に取り付けられる。
【００１８】
光源の発熱及び使用環境の温度等に応じて導光板が伸縮すると、導光板の端面は、導光板の正面に沿う方向に移動する。また、導光板の伸縮に伴い、導光板に取り付けられている取付部、及びこの取付部が突設されている光源支持部、並びにこの光源支持部に支持されている光源も、導光板の正面に沿う方向に移動する。このとき、導光板の端面の移動距離及び移動方向と、光源の移動距離及び移動方向とは等しい。このため、導光板の端面と光源との離隔距離とが一定に保たれる。
【００１９】
仮に、このような放熱部材が存在しない場合、導光板が伸縮すると、導光板の端面は、導光板の正面に沿う方向に移動するが、光源は停止している。故に、導光板の端面が光源に対して接離し（即ち、導光板の端面と光源との離隔距離とが変動し）、場合によっては、導光板と光源との接触が生じる。
【００２０】
本発明にあっては、放熱部材の取付部の先端部は、導光板の正面又は背面に対向配置されて導光板に取り付けられている。
一般に、導光板は表示パネルよりも寸法が大きい。このため、導光板の周縁部であれば、導光板の正面又は背面に取付部の先端部を取り付けても、導光板から表示パネルへの導光が阻害される虞はない。
【００２１】
また、取付部の先端部を導光板の正面又は背面に取り付ける場合には、従来のように取付部の先端面を導光板の端面に取り付ける場合と比べて、取付部と導光板との接触面積を容易に広くすることができる。このため、取付部の先端部を導光板に安定的に取り付けることができる。
仮に、取付部の先端面を導光板の端面に取り付けると、導光板の端面における光入射範囲が狭まる。
【００２２】
本発明にあっては、表示装置は光源基板を更に備える。光源は、光源基板に実装されている。
放熱部材は、アングル材（例えば山形鋼のような、断面Ｌ字状の棒状部材）を用いてなる。
アングル材は、導光板の正面又は背面に対面配置される板状の取付部と、導光板の端面に対面配置される板状の光源支持部とを一体に有する。アングル材において、取付部及び光源支持部は、Ｌ字の一側及び他側に相当する。
光源支持部の一面には、光源基板が取り付けられている。つまり、光源は光源基板を介して光源支持部に支持される。
【００２３】
アングル材は単純な形状の部材である。また、光源支持部に光源基板を取り付ける作業は、アングル材に対して行なえばよいため、例えばチャンネル材に対して光源基板を取り付ける作業に比べて作業性が高い。以上の結果、表示装置を容易に製造することができる。
【００２４】
本発明にあっては、放熱部材の取付部の先端部と導光板とがネジ留めされている。ネジ留めによる取り付けは、例えば従来のようなレーザ溶着による接着固定に比べて簡便である。このため、表示装置を容易に製造することができる。
【００２５】
仮に、ネジ留めによる取り付けに替えて、両面テープによる取り付けを行なえば、放熱部材の取付部の先端部と導光板とを更に簡易に取り付けることができる。しかしながら、一般的な両面テープは、熱又は長期の使用等によって劣化し易い。このため、ネジ留めによる取り付けの方が好適である。
また、ネジ留めによる取り付けであれば、着脱可能にすることは容易である。ネジ留めによる着脱可能な取り付けの場合、表示装置の保守点検又は解体等の際に、放熱部材と導光板とを容易に分離することができる。即ち、表示装置の保守点検又は解体等の作業性を向上させることができる。
【００２６】
本発明にあっては、放熱部材の少なくとも取付部は金属を用いてなり、ネジ穴は取付部に形成されている。このため、放熱部材の取付部の先端部と導光板とを安定的にネジ留めすることができる。この場合、導光板にはバカ孔が形成されていればよい。
導光板は、通常、合成樹脂を用いてなる。故に、合成樹脂製の導光板にネジ穴を形成したとしても、例えばネジとの摩擦によってネジ穴が破損し易いため、安定的にネジ留めすることができない。
【００２７】
本発明にあっては、表示装置はキャビネット及び支持体を更に備える。このキャビネットは例えば前キャビネットであり、表示パネルの表示面の周縁部を囲繞する。また、この支持体は例えばバックライトシャーシであり、支持体と前キャビネットとの間で表示パネル及び導光板が支持される。
光源が発する熱は、放熱部材の光源支持部に伝導する。放熱部材に伝導した熱は、キャビネットへ伝導し、表示装置の外部へ放出される。又は、放熱部材に伝導した熱は、支持体へ伝導し、表示装置の外部へ放出される。
キャビネット及び支持体は、何れも従来存在する部材である。このため、放熱部材に伝導した熱を表示装置の外部へ放出するための手段を別途講じる必要がない。従って、表示装置の薄型化及び狭額縁化が阻害される虞はない。
【００２８】
本発明にあっては、テレビジョン受信機は、本発明に係る表示装置と受信部とを備える。
本発明に係る表示装置においては、導光板の端面と光源との離隔距離を一定に保つことができる。従って、受信部にて受信したテレビジョン放送に基づく映像を表示する場合に、表示された映像の画質が、導光板の端面と光源との離隔距離が変動することによって劣化することが抑制される。
【発明の効果】
【００２９】
本発明の表示装置及びテレビジョン受信機による場合、従来のチャンネル材を備えていない構成であっても、導光板の端面と光源との離隔距離を一定に保つことができる。何故ならば、表示装置及びテレビジョン受信機が備えている放熱部材は、光源の放熱を行なう機能のみならず、導光板の端面と光源との離隔距離を一定に保つ機能も有するからである。従って、表示装置及びテレビジョン受信機の薄型化及び狭額縁化を図ることができる。
また、光源の放熱が特段の問題なく行なわれるため、異常な高熱の発生、及び、これに起因する動作不良、故障、又は事故等の発生を抑制することができる。
【図面の簡単な説明】
【００３０】
【図１】本発明の実施の形態に係るテレビジョン受信機の外観を示す斜視図である。
【図２】本発明の実施の形態に係る表示装置の構成を模式的に示す凸部突設位置の縦断面図である。
【図３】本発明の実施の形態に係る表示装置の構成を模式的に示す凸部非突設位置の縦断面図である。
【発明を実施するための形態】
【００３１】
以下、本発明を、その実施の形態を示す図面に基づいて詳述する。
【００３２】
図１は、本発明の実施の形態１に係るテレビジョン受信機１の外観を示す斜視図である。
図２及び図３は、何れも、本発明の実施の形態１に係る表示装置１０の構成を模式的に示す縦断面図である。ただし、図２は、後述する凸部３４が突設されている位置（即ち凸部３４の突設位置）における断面を示し、図３は、隣り合う凸部３４，３４間（即ち凸部３４の非突設位置）における断面を示している。
図２及び図３は、各後述する受信部１１、信号処理部１２、及び後キャビネット３２等の図示を省略してある。図２及び図３に示す矢符は、光の方向を表わしている。
【００３３】
以下では、図２及び図３の左側を、表示装置１０（延いてはテレビジョン受信機１）の前側又は正面側といい、図２及び図３の右側を、表示装置１０の後側又は背面側という。また、図２及び図３の紙面垂直方向の手前側（及び奥側）を、表示装置１０の右側（及び左側）という。
まず、図１を参照しつつ、テレビジョン受信機１の構成を説明する。
テレビジョン受信機１は、表示装置１０、受信部１１、信号処理部１２、及びスタンド１３を備えている。
スタンド１３は、表示装置１０の下部に設けられており、縦姿勢の表示装置１０を支持する。
【００３４】
表示装置１０は、矩形状の表示パネル２１と、筐体１００とを備えている。筐体１００の前部（及び後部）は、矩形枠状の前キャビネット３１（及び矩形トレイ状の後キャビネット３２）を用いてなる。
前キャビネット３１は、例えばアルミニウムを用いて押出成形してなり、中央部に矩形状の開口３１ａを有する。
後キャビネット３２は、例えば電気亜鉛めっき鋼板からなる。
前キャビネット３１及び後キャビネット３２夫々の上下及び左右寸法は略同じであり、互いの周縁部分が対向している。
前キャビネット３１は、本発明の実施の形態におけるキャビネットとして機能する。
【００３５】
受信部１１及び信号処理部１２は、筐体１００に内蔵されている。なお、受信部１１及び信号処理部１２は、表示装置１０に外付けされていてもよい。
表示装置１０は、受信部１１が受信したテレビジョン放送に基づく映像を表示する。このために、受信部１１は、図示しないアンテナを介して、外部からテレビジョン放送を受信し、受信したテレビジョン放送から放送信号を取り出す。信号処理部１２は、受信部１１が取り出した放送信号に所定の信号処理を施すことによって、映像データを出力する。
【００３６】
表示パネル２１は、正面側に表示面２１１を有する。そして、表示パネル２１は、信号処理部１２が出力した映像データに基づく映像を、表示面２１１に表示する。
表示パネル２１は、液晶表示パネルを用いてなる。表示パネル２１は、表示面２１１の中央部に位置する有効表示領域が開口３１ａから露出するように、縦姿勢で筐体１００に収容されている。表示パネル２１の縦横（即ち上下方向及び左右方向）の寸法は、開口３１ａの縦横の寸法よりも若干大きい。故に、前キャビネット３１は、表示パネル２１の表示面２１１の周縁部を囲繞している。
【００３７】
次に、表示装置１０の構成を詳述する。以下では、主に前キャビネット３１の周縁部の内、下辺部（以下、周縁下辺部という）の近傍の構成について説明する。図２及び図３には、前キャビネット３１の周縁下辺部の近傍の構成が示されている。
まず、図２及び図３を参照しつつ、前キャビネット３１の構成を更に説明する。
前キャビネット３１は、前枠部３１１及び突出枠部３１２を備えている。
前枠部３１１は、中央部に開口３１ａが形成された矩形板状になしてあり、前枠部３１１の正面は露出している（即ち外面である）。
突出枠部３１２は、前枠部３１１の外縁部分から後側へ突出している。
【００３８】
前枠部３１１の背面（即ち前枠部３１１の内面）における開口３１ａの開口縁部（即ち前枠部３１１の内縁部分）には、表示パネル２１の損傷を抑制するための弾性部材３３が、前枠部３１１の周縁方向に沿って連続的又は断続的に配置してある。
【００３９】
前枠部３１１の内面の上下方向中央部分には、複数個の凸部３４，３４，…が突設されている。
凸部３４，３４，…は、前枠部３１１の周縁下辺部の周縁方向（具体的には左右方向）に並設されている。また、凸部３４，３４，…は、弾性部材３３よりも下側に位置している。
各凸部３４は、横姿勢の四角柱状をなし、前枠部３１１の内面から後方向へ、即ち前キャビネット３１から後述する導光板２３側へ突出している。
【００４０】
ここで、前キャビネット３１の製造について説明する。まず、前枠部３１１、突出枠部３１２、及び凸部３４，３４，…となすべき凸条部が、押出成形によって、一体に形成される。次いで、形成された凸条部を部分的に切削し、複数個に分割することによって、凸部３４，３４，…が形成される。この結果、前キャビネット３１が製造される。
【００４１】
次に、パネルユニットの構成を説明する。ここでは、表示パネル２１と、各後述する光学シート群２２、ＳＯＦ２７，２７，…、及び回路基板２８，２８，…とのひとまとまりをパネルユニットという。
表示パネル２１は、後述するエッジライト方式のバックライトによって、表示パネル２１の背面２１２側から照明される。表示パネル２１は、表示面２１１側のガラス板と背面２１２側のガラス板とを有する。２枚のガラス板の間には液晶が配されており、液晶に印加された電圧に応じて、表示パネル２１の透過率が変化する。従って、バックライトからの光は、表示パネル２１を透過するか、又は、表示パネル２１の通過を遮断される。この結果、表示面２１１に映像が表示される。
【００４２】
バックライトは、光学シート群２２、導光板２３、反射シート２４、ＬＥＤ２５，２５，…、及びＬＥＤ基板２６を用いて構成される。これらの内、光学シート群２２については次に説明し、これ以外については更に後で述べる。
光学シート群２２は、矩形状をなしており、表示パネル２１の背面２１２の中央部に密着配置されている。光学シート群２２の縦横の寸法は、表示パネル２１の背面２１２の縦横の寸法よりも小さい。このため、光学シート群２２は、表示パネル２１の周縁部を被覆していない。ただし、光学シート群２２の縦横の寸法は、表示パネル２１の有効表示領域の縦横の寸法より大きい。つまり、光学シート群２２は、表示パネル２１の有効表示領域を、背面２１２側から覆っている。
【００４３】
なお、表示装置１０は、光学シート群２２に替えて、例えば、光の拡散機能及び集光機能等、複数種類の機能を有する１枚のシート部材を所定の形状に切り出すことによって形成された光学シートを備えていてもよい。
【００４４】
複数枚のＳＯＦ２７，２７，…は、表示パネル２１の下辺部２１ａに沿って（具体的には左右方向に）並置されている。各ＳＯＦ２７は、図示しないドライバＬＳＩがその一面に実装されている帯状のフレキシブル基板を用いてなる。
ＳＯＦ２７は、ドライバＬＳＩが実装されている一面又は他面を正面側に向け、長手方向が上下方向に沿うよう表示パネル２１の下辺部２１ａから垂下している。ＳＯＦ２７が備えるドライバＬＳＩは、表示パネル２１の駆動回路である。具体的には、ドライバＬＳＩは、後述する信号回路から入力された表示駆動信号に応じて、適宜の電圧を表示パネル２１の液晶に印加する。この結果、表示パネル２１の透過率が変化する。
【００４５】
ＳＯＦ２７は、フレキシブル基板の上端部側で、表示パネル２１に電気的に接続されている。また、ＳＯＦ２７は、フレキシブル基板の下端部側で、後側へ折り曲げられており、複数枚の回路基板２８，２８，…の内、何れかひとつの回路基板２８に、電気的に接続されている。
回路基板２８，２８，…は、表示パネル２１の下辺部２１ａに沿って並置されている。各回路基板２８は、非透光性を有する横長の矩形板状になしてある。各回路基板２８の一面又は他面には、図示しない信号回路が実装されている。この信号回路は、信号処理部１２が出力した映像データに基づく表示駆動信号を、ＳＯＦ２７が備えるドライバＬＳＩへ出力する。
【００４６】
以上のようなパネルユニットは、表示パネル２１の表示面２１１の周縁部が弾性部材３３に接触するようにして、前キャビネット３１に後方から取り付けられる。
このとき、表示パネル２１の下辺部２１ａ、及び、前枠部３１１の周縁下辺部は、共に左右方向に沿って配される。また、このとき、ＳＯＦ２７，２７，…は、凸部３４，３４，…間に配される。即ち、ＳＯＦ２７と凸部３４とが左右方向に交互に配される。
各回路基板２８は、その下面が突出枠部３１２の上面（即ち内面）側に向くようにして、左右方向に沿う横姿勢に配される。このとき、複数枚の回路基板２８，２８，…は左右方向に並置される。
【００４７】
次に、バックライトの構成を説明する。
導光板２３は、矩形板状になしてあり、例えばアクリル樹脂を用いてなる。導光板２３の縦横の寸法は、表示パネル２１の縦横の寸法よりも大きい。
導光板２３は、導光板２３の少なくとも下端面２３ｂから導光板２３の内部に入射した光を、導光板２３の正面２３ａ及び背面から均一に出射する（即ち面発光する）。
【００４８】
導光板２３の下辺部には、後述する取付部４０１の長手方向に並置された複数個の貫通孔２３１，２３１，…が形成されている。貫通孔２３１の内径は、後述するネジ孔４１ａに螺合するネジＭのネジ軸の外径よりも大きい。つまり、貫通孔２３１はネジＭにとってのバカ孔である。貫通孔２３１は、隣り合う凸部３４，３４間、即ち凸部３４の非突設位置に対応する位置に形成されている。貫通孔２３１，２３１，…の個数は、凸部３４の非突設位置の個数以下である。
【００４９】
反射シート２４は、貫通孔２３１，２３１，…と後述する貫通孔２４１，２４１，…とが連通するようにして、導光板２３の背面に密着配置されている。反射シート２４の縦横の寸法は、導光板２３の縦横の寸法よりも大きい。このため、導光板２３の背面から出射した光は、確実に反射シート２４で反射し、再び導光板２３の内部に入射する。
反射シート２４の下辺部には、貫通孔２３１，２３１，…に対応する貫通孔２４１，２４１，…が形成されている。貫通孔２４１も、ネジＭにとってのバカ孔である。
【００５０】
ＬＥＤ基板２６は、非透光性を有し、横長の矩形板状になしてある。ＬＥＤ基板２６の一面には、ＬＥＤ基板２６の長手方向に並置された複数個のＬＥＤ２５，２５，…が実装されている。
ＬＥＤ２５，２５，…及びＬＥＤ基板２６は、本発明の実施の形態における光源及び光源基板として機能する。なお、ＬＥＤ２５，２５，…に替えて、電球、熱陰極蛍光灯、ＥＬ（Electro Luminescence）、又は冷陰極管等が備えられていてもよい。
【００５１】
ＬＥＤ２５，２５，…から放射された光は、直接的に、又は、反射シート２４若しくは取付部４０１等で反射することによって、導光板２３の下端面２３ｂから導光板２３の内部に入射する。導光板２３の内部に入射した光は、導光板２３の正面２３ａから出射される。正面２３ａから出射された光は、光学シート群２２による拡散及び集光等を経て、表示パネル２１の背面２１２から表示パネル２１の内部に入射する。表示パネル２１の内部に入射した光は、表示パネル２１の表示面２１１から出射される。この結果、表示パネル２１の表示面２１１が、均一に明るくなる。
【００５２】
表示装置１０は、バックライトシャーシ３６、放熱部材４１、及び絶縁シート４３を備える。
バックライトシャーシ３６は、支持板部３６１と取付板部３６２とを有する。
支持板部３６１は矩形板状になしてある。支持板部３６１には、支持板部３６１の一面と反射シート２４の背面とを密着させて、導光板２３及び反射シート２４が取り付けられる。このとき、貫通孔２３１，２３１，…と貫通孔２４１，２４１，…とが連通するように配される。
【００５３】
取付板部３６２は、断面Ｌ字状の板状をなしている。取付板部３６２のＬ字の一側は、支持板部３６１の下端部から後方へ突設されている。取付板部３６２のＬ字の他側は、支持板部３６１に離反する方向に配されている。
支持板部３６１と取付板部３６２との境界部は、後述する取付部４０２及びこれに取り付けられたネジＭのネジ頭を迂回するように、後方へ屈曲している。
バックライトシャーシ３６は、本実施の形態における支持体として機能する。
絶縁シート４３は、横長の矩形シート状になしてあり、ポリカーボネートを用いてなる。
【００５４】
放熱部材４１は、第１及び第２のアングル材４１１，４１２を用いてなる。第１及び第２のアングル材４１１，４１２は、何れも熱伝導性が高い材料を用いてなる。また、第１及び第２のアングル材４１１，４１２は、何れも単純な形状の部材であるため、容易に形成することができる。しかも、第２のアングル材４１２には、ネジＭ，Ｍ，…が螺合すべきネジ孔を形成する必要はない。
【００５５】
第１のアングル材４１１は、各矩形板状の取付部４０１と光源支持部４０３とを一体に有する。具体的には、取付部４０１が、光源支持部４０３の短手方向の一側に一体に突設されている。第１のアングル材４１１において、取付部４０１の短辺部及び光源支持部４０３の短辺部は、Ｌ字の一側及び他側に相当する。
光源支持部４０３の外面（即ちＬ字の外側の面）には、絶縁シート４３が、両面粘着テープ又は接着剤等を用いてなる接着層を介して、接着される。
【００５６】
また、光源支持部４０３には、ＬＥＤ２５，２５，…が実装されたＬＥＤ基板２６が取り付けられる。即ち、光源支持部４０３はＬＥＤ２５，２５，…を支持する。このとき、ＬＥＤ基板２６のＬＥＤ２５，２５，…が実装されていない面と、光源支持部４０３の内面（即ちＬ字の内側の面）とが接触する。また、ＬＥＤ基板２６の長手方向と光源支持部４０３の長手方向は一致する。更に、ＬＥＤ基板２６の短手方向の一側端面が、取付部４０１の内面に接触配置される。
このように、ＬＥＤ基板２６は、第１のアングル材４１１のＬ字の内側に取り付けられる。ＬＥＤ基板２６の第１のアングル材４１１のＬ字の内側への取り付けは、例えばチャンネル材のコ字の内側への取り付けよりも簡易である。
【００５７】
取付部４０１の先端部には、取付部４０１の長手方向に並置された複数個のネジ孔４１ａ，４１ａ，…が形成されている。各ネジ孔４１ａは、取付部４０１を貫通する貫通孔の内面に雌ネジを形成してなる。ネジ孔４１ａには、ネジＭが螺合する。ネジ孔４１ａは、本実施の形態におけるネジ穴として機能する。
【００５８】
なお、取付部４０１を貫通しない穴の内面に雌ネジを形成してもよい。ただし、このようなネジ穴とネジＭとが螺合する範囲は、ネジ孔４１ａとネジＭとが螺合する範囲よりも狭い。従って、ネジ孔４１ａが形成されている方がネジＭが安定的に螺合する。
第１のアングル材４１１は、本実施の形態におけるアングル材として機能する。
【００５９】
第２のアングル材４１２は、各矩形板状の取付部４０２と板状部４０４とを一体に有する。具体的には、取付部４０２が、板状部４０４の短手方向の一側に一体に突設されている。第２のアングル材４１２において、取付部４０２の短辺部及び板状部４０４の短辺部は、Ｌ字の一側及び他側に相当する。
取付部４０２の先端部には、取付部４０１のネジ孔４１ａ，４１ａ，…に対応する貫通孔４１ｂ，４１ｂ，…が形成されている。貫通孔４１ｂも、ネジＭにとってのバカ孔である。
【００６０】
次に、放熱部材４１の導光板２３への取り付けを説明する。
ＬＥＤ基板２６及び絶縁シート４３が取り付けられた第１のアングル材４１１は、取付部４０１の内面が導光板２３の正面２３ａと接触し、ＬＥＤ２５，２５，…と導光板２３の下端面２３ｂとが対面し、各ネジ孔４１ａが貫通孔２３１，２４１と連通するように配される。
導光板２３の正面２３ａが取付部４０１に覆われる範囲は、正面２３ａの周縁部、更に詳細には、正面２３ａにおける背面２１２に対面していない範囲に含まれている。このため、取付部４０１が導光板２３から表示パネル２１への導光を阻害する虞はない。
【００６１】
光源支持部４０３の内面における取付部４０１側（即ち光源支持部４０３の基端側）にＬＥＤ基板２６を取り付けても、光源支持部４０３の内面における取付部４０１の逆側（即ち光源支持部４０３の先端側）には、板状部４０４を積層配置可能なスペースが存在する。このスペースへ、板状部４０４が積層配置される。
第２のアングル材４１２は、板状部４０４の外面が光源支持部４０３の内面と接触し、取付部４０２の外面が反射シート２４の背面と接触し、各貫通孔４１ｂがネジ孔４１ａ及び貫通孔２３１，２４１と連通するように配される。
【００６２】
ネジ孔４１ａ、貫通孔２３１，２４１、及び貫通孔４１ｂには、取付部４０２側からネジＭが挿入される。即ち、ネジＭのネジ頭は取付部４０２側に位置し、ネジＭのネジ軸の先端部は取付部４０１側に位置する。そして、ネジＭ，Ｍ，…夫々のネジ軸がネジ孔４１ａ，４１ａ，…を貫通してネジ孔４１ａ，４１ａ，…に螺合することによって、取付部４０１，４０２、導光板２３、及び反射シート２４がネジ留めされる。
【００６３】
このようなネジ留めは、例えばレーザ溶着に比べて簡便である。また、ネジ留めによる取り付けは、例えば両面テープを介在させて取付部４０１，４０２を導光板２３の正面２３ａ及び背面に貼り付けた場合に比べて、熱又は長期の使用等に対する耐性が高い。更に、ネジＭを取り外せば、導光板２３と第１及び第２のアングル材４１１，４１２とが容易に分離するため、例えばテレビジョン受信機１の保守点検又は解体等の作業性が向上する。
更にまた、取付部４０１，４０２と導光板２３との接触面積は、例えば取付部４０１，４０２夫々の先端面が導光板２３の下端面２３ｂに接着された場合よりも、広い。しかも、下端面２３ｂの光入射範囲を最大限にすることができる。
【００６４】
以上の結果、導光板２３に第１及び第２のアングル材４１１，４１２、即ち放熱部材４１が安定的に取り付けられる。このとき、第１のアングル材４１１の光源支持部４０３に支持されているＬＥＤ２５，２５，…は、導光板２３の下端面２３ｂに正確に対向配置される。また、導光板２３に第１及び第２のアングル材４１１，４１２を取り付ければ、放熱部材４１が組み立てられる。このため、放熱部材４１を別途組み立ててから導光板２３に取り付ける必要はない。
【００６５】
なお、放熱部材４１は、第２のアングル材４１２を備えていなくてもよい。しかしながら、取付部４０１，４０２によって導光板２３及び反射シート２４を挟持することができ、また、取付部４０２がワッシャとして機能する本実施の形態の方が好適である。
【００６６】
導光板２３に放熱部材４１が取り付けられた後、バックライトシャーシ３６が取り付けられる。具体的には、バックライトシャーシ３６は、放熱部材４１が取り付けられた導光板２３と反射シート２４とを縦姿勢に保持した状態で、導光板２３の正面２３ａの中央部が光学シート群２２の背面に密着し、取付部４０１の外面が凸部３４，３４，…の先端面に密着するように、前キャビネット３１に後方から取り付けられる。バックライトシャーシ３６の取付板部３６２は、ビスＢ，Ｂ，…を用いて前キャビネット３１にネジ留めされる。
【００６７】
バックライトシャーシ３６が前キャビネット３１に取り付けられると、取付部４０１の外面と各ＳＯＦ２７の背面とが対面する。また、放熱部材４１の光源支持部４０３及び板状部４０４夫々の後端面が、バックライトシャーシ３６の取付板部３６２のＬ字の他側の前面に接触する。更に、放熱部材４１と回路基板２８，２８，…との間に、絶縁シート４３が介在する。
仮に、絶縁シート４３が存在しない場合、例えば表示装置１０に外力が加えられて回路基板２８が振動し、放熱部材４１と接触することによって、短絡が生じる虞がある。しかしながら、絶縁シート４３が回路基板２８と放熱部材４１とを電気的に絶縁するため、短絡の発生が抑制される。
【００６８】
支持板部３６１の背面には、受信部１１及び信号処理部１２が配される。受信部１１及び信号処理部１２と回路基板２８とは、図示しないフレキシブル基板を介して電気的に接続される。
バックライトシャーシ３６の背後は、後キャビネット３２によって覆われる。
以上のようにして表示装置１０が組み立てられると、表示パネル２１の背面２１２におけるＬＥＤ２５，２５，…側の周縁部（即ち下辺部２１ａ）とＬＥＤ基板２６との間に、取付部４０１が位置する。即ち、表示パネル２１の下辺部２１ａは、ＬＥＤ２５，２５，…から遮蔽されている。
【００６９】
次に、放熱部材４１の作用効果を説明する。
ＬＥＤ２５，２５，…が発した熱は、ＬＥＤ基板２６を介して、放熱部材４１に伝導する。放熱部材４１に伝導した熱の一部は、放熱部材４１の取付部４０１から凸部３４，３４，…へ、即ち前キャビネット３１へ伝導し、外部へ放出される。また、放熱部材４１に伝導した熱の他の一部は、放熱部材４１の光源支持部４０３及び板状部４０４からバックライトシャーシ３６へ伝導する。バックライトシャーシ３６へ伝導した熱は、前キャビネット３１又は後キャビネット３２に伝導し、外部へ放出される。以上のようにして、ＬＥＤ２５，２５，…が発した熱が外部へ放出される。
【００７０】
なお、放熱部材４１及びバックライトシャーシ３６は、板状部４０４の上面と取付板部３６２のＬ字の一側の下面とが接触する構成でもよい。この場合、放熱部材４１からバックライトシャーシ３６へ、効率よく熱を伝導させることができる。
本実施の形態においては、放熱部材４１から前キャビネット３１及びバックライトシャーシ３６の両方へ、直接的に放熱されるが、何れか一方への放熱でもよい。例えば前キャビネット３１に凸部３４，３４，…が設けられていない場合は、放熱部材４１からバックライトシャーシ３６を介して外部へ放熱されるようにしてあればよい。
【００７１】
ところで、導光板２３は正面２３ａ及び背面を挟持されているため、ＬＥＤ２５，２５，…の発熱及び使用環境の温度等に応じて、面方向（即ち上下方向及び左右方向）に伸長／収縮する。従って、導光板２３の下端面２３ｂは、導光板２３の伸縮に伴い、上下方向に移動する。また、導光板２３の上下方向の伸縮に伴い、導光板２３に取り付けられている放熱部材４１、及び放熱部材４１に支持されているＬＥＤ２５，２５，…も、上下方向に移動する。
【００７２】
このとき、温度変化による放熱部材４１の伸縮は、無視することができる。何故ならば、温度変化による放熱部材４１の伸縮率は、導光板２３の伸縮率よりも小さく、また、取付部４０１，４０２の縦長さは、導光板２３の縦長さよりも十分に小さいからである。故に、導光板２３の伸縮に伴う下端面２３ｂの上下方向の移動量と、各ＬＥＤ２５の上下方向の移動量とは等しい。従って、各ＬＥＤ２５と導光板２３の下端面２３ｂとの離隔距離は、一定（例えば1.3 mm）に保たれる。
以上のように、放熱部材４１は、ＬＥＤ２５，２５，…の放熱を行なう機能、及び、各ＬＥＤ２５と導光板２３の下端面２３ｂとの離隔距離を一定に保つ機能を有する。
【００７３】
本実施の形態では、放熱部材４１（少なくとも取付部４０１）が遮光性を有する。このため、放熱部材４１は、いわゆる光漏れを抑制する機能も有する。ここで、光漏れとは、ＬＥＤ２５，２５，…から放射された光が、導光板２３又は光学シート群２２を介さずに、表示パネル２１の下辺部２１ａから表示パネル２１の内部に入射することによって、表示面２１１の一部分が他部分よりも無用に明るくなる現象である。光漏れが生じると、表示面２１１に表示されている映像の画質が劣化する。
【００７４】
取付部４０１は、導光板２３の正面２３ａの下辺部から、ＬＥＤ基板２６の前端面まで（即ちＬＥＤ２５，２５，…よりもＬＥＤ基板２６側まで）の範囲を閉鎖している。このため、ＬＥＤ２５，２５，…から放射された光が、放熱部材４１を透過又は迂回して、表示パネル２１の光学シート群２２に覆われていない下辺部２１ａに入射することはできない。従って、光漏れが抑制される。
【００７５】
なお、放熱部材４１は、取付部４０１の先端部を櫛歯状に形成してあってもよい。この場合、凸部３４，３４，…の先端面と導光板２３の正面２３ａとが接触し、取付部４０１の先端部が凸部３４の非突設位置に配される。このとき、取付部４０１の櫛歯状の凹部の内面が、凸部３４の周面に接触する。つまり、放熱部材４１から前キャビネット３１への直接的な熱伝導が可能である。また、凸部３４，３４，…が、前キャビネット３１の前枠部３１１の内面から導光板２３の正面２３ａの下辺部まで突出することによって、光漏れを抑制する。
【００７６】
以上のような表示装置１０は、放熱部材４１を備えることによって、各ＬＥＤ２５と導光板２３の下端面２３ｂとの離隔距離を一定に保つ機能、又は、光漏れを抑制する機能を有し、且つ放熱部材４１とは別個の部材を削減することができる。故に、表示装置１０は、部品点数を減少させることができ、表示装置１０（延いてはテレビジョン受信機１）を薄型化及び狭額縁化させることができる。
また、表示装置１０は、表示面２１１に表示される映像の画質を向上させることができる。
【００７７】
本実施の形態では、表示装置１０が、受信部１１を備えるテレビジョン受信機１に適用されている場合を例示したが、これに限定されるものではない。本発明に係る表示装置は、受信部を備えていない電気機器、例えばパーソナルコンピュータ用のディスプレイに適用されてもよい。
【００７８】
また、本実施の形態では、放熱部材４１の光源支持部４０３と板状部４０４とは、単に接触しているだけである。このため、ＬＥＤ２５，２５，…及びＬＥＤ基板２６による荷重は、取付部４０１を介してネジＭのネジ軸の先端部に印加される。このような構成に限定されず、光源支持部４０３と板状部４０４とが、ネジ留め又は接着等によって連結してあってもよい。この場合、ＬＥＤ２５，２５，…及びＬＥＤ基板２６による荷重は、取付部４０１，４０２を介してネジＭのネジ軸の先端部と基端部とに分散して印加される。
【００７９】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
また、本発明の効果がある限りにおいて、テレビジョン受信機１又は表示装置１０に、実施の形態に開示されていない構成要素が含まれていてもよい。
【符号の説明】
【００８０】
１      テレビジョン受信機
１０    表示装置
１１    受信部
２１    表示パネル
２３    導光板
２５    ＬＥＤ（光源）
２６    ＬＥＤ基板（光源基板）
３１    前キャビネット（キャビネット）
３６    バックライトシャーシ（支持体）
４０１  取付部
４０３  光源支持部
４１    放熱部材
４１１  第１のアングル材（アングル材）
４１ａ  ネジ孔（ネジ穴）
【図１】
2013257387.tif 000003
【図２】
2013257387.tif 000004
【図３】
2013257387.tif 000005